(57)【要約】      （修正有）【課題】夜間や暗い場所にあってもよく視認でき、さらに印象や美観も向上させ注目度を高められるような、アピール性の高い耐久性のあるのぼり用の点灯具を提供する。【解決手段】のぼりにおける中空支持ポールの頂上部に設けられるキャップ体５の内部に発光ダイオード６を少なくとも横方外部に向けて放光するように収容するとともに、キャップ体５の下方に底付き電池収納筒７を該支柱ポールの中空部に収まるように突出形成し、電池の電極接点と発光ダイオードを導線で接続する。また底付き電池収納筒７の側壁において上端から下端にかけて縦に貫くスリットを形成し、そのスリット内に鋼線状の導線を収める。さらにキャップ体より横方に伸びる旗支持竿３にも、望ましくは複数個の発光ダイオードを横ないし下方に放光するように取付けて、これらを同じく導線で電池の電極接点に接続する。【選択図】  図３
2006184836.tif 000002
【特許請求の範囲】
【請求項１】
のぼりにおける中空支持ポールの頂上部に設けられるキャップ体の内部に発光ダイオードを少なくとも横方外部に向けて放光するように収容するとともに、該キャップ体の下方に底付き電池収納筒を該支柱ポールの中空部に収まるように突出形成し、該電池の電極接点と発光ダイオードを導線で接続して成ることを特徴とするのぼり用点灯具。
【請求項２】
底付き電池収納筒の側壁において上端から下端にかけて縦に貫くスリットを形成し、そのスリット内に鋼線状の導線を収めた請求項１記載ののぼり用点灯具。
【請求項３】
キャップ体より横方に伸びる旗支持竿にも発光ダイオードを横ないし下方に放光するように取付けて、これらを同じく導線で該電池の電極接点に接続した請求項１記載ののぼり用点灯具。
【請求項４】
電池が充電用蓄電池またはコンデンサーであり、これに電気接続された太陽電池をキャップ体の頂上部に設けた請求項１または請求項３記載ののぼり用点灯具。
【発明の詳細な説明】
【技術分野】
【０００１】この発明は、店舗等の広告や案内のために即席的に設置する縦長旗状ののぼりに取付ける点灯具に関する。
【背景技術】
【０００２】店舗等の広告や案内をする「のぼり」が道路脇などに何本も立てられているのはよく見られる風景である。これは土台１の上に平均２ｍ強の支柱ポール２を垂立し、その上端部より旗支持竿３を片側横方向に伸ばして逆Ｌ字状とし、これにのぼり旗４である布体の縁部数ケ所を括り付けて成る構造をしているものであり、支柱ポール２の頂上部には旗支持竿３を（水平回転可能状に）取り付けるキャップ体５が設けられている（図５）。【０００３】このようなのぼりに夜間視認性をもたせるために、照明光を当てたり外部電源による豆電球を取付けたりする試みも一部ではあったが、負担が大きい割に効果に乏しく、独立電源による点灯具を取付ける試みは、様々な制約により技術的に困難なために、未だ実現していないのが現状である。
【発明の開示】
【発明が解決しようとする課題】
【０００４】このような在来ののぼりは比較的低コストで移動や取り替えも容易であり、複数本設置して視認性を高めるにも好都合であるが、それはあくまでも昼間の明るい場所にあってのみ言えることであった。すなわち、どんなに目立つ広告や案内を旗に施していても、暗くなればそれは単に通行等の邪魔になるだけのものにすぎず、むしろ衝突の危険を伴ったり店のイメージを損ないかねない代物と化す憂いがあった。また夜間視認性を高めるための様々な試みも未だ成功していないのは上記の通りである。【０００５】本発明はかかる現状から、夜間や暗い場所にあってもよく視認でき、さらに印象や美観も向上させ注目度を高められるような、アピール性の高い耐久性のあるのぼりを、新規な独立電源による点灯具を提供することにより実現させることを課題とする。
【課題を解決するための手段】
【０００６】のぼりＡにおける中空支持ポール２の頂上部に設けられるキャップ体５の内部に発光ダイオード６を少なくとも横方外部に向けて放光するように収容するとともに、キャップ体５の下方に底付き電池収納筒７を該支柱ポール２の中空部に収まるように突出形成し、電池８の電極接点と発光タイオード６を導線９で接続して本発明ののぼり用点灯具Ｂとする。【０００７】その際、電池８としては、単３か単４電池を２〜４本、直列に用いるものとするが、実用上充分な導電性と剛性を要する導線９は、ある程度の太さを有することが望ましい。但し支柱ポール２と底付き電池収納筒７の両者を介した電池収納スペースは甚だ限られており、また電池８の出し入れや安定性にとっても、導線９は（特に肉厚のプラスチック製筒を用いたときに）大きな障害物となる。【０００８】そこで本発明においては、直径約１ｍｍ近くの鋼線を支障なく導線９として用いられるように、次のような手段を講じるものとする。すなわち、底付き電池収納筒７の側壁において上端から下端にかけて縦に貫くスリット１０を形成し、そのスリット１０内に鋼線状の導線９を収める。但しそのスリット幅は導線９の直径にほとんど等しいことが好ましい（図２）。【０００９】こうすることにより、導線９は底付き電池収納筒７の側壁の一部を占める形態となり、支持ポール２の内部に余分な空間を作らず、また導線９の位置が不動に固定することにより安定し、着脱作業も容易になる。【００１０】なお、キャップ体５より横方に伸びる旗支持竿３にも、望ましくは複数個の発光ダイオード６を横ないし下方に放光するように取付けて、これらを同じく導線９で電池８の電極接点に接続し、よりバージョンアップされたのぼり用点灯具Ｂにしてもよい（図３）。【００１１】この場合の導線９は、プラスチック製の旗支持竿３の中に埋め込まれるようにすることが好ましい。或いは、既に製品化されているテープＬＥＤを両面粘着材などにより取付ける方法も考えられる。【００１２】さらに電池８として充電用蓄電池またはコンデンサーを用い、キャップ体５の頂上部に太陽電池１７を設けて、これらを導線９で電気接続してもよい（図４）。【００１３】この場合は、昼光で太陽電池１７が発電した電気を充電してこれを夜間に消費するわけであるから、電源を昼間はＯＦＦ、夜間はＯＮとなるように、自動切替にすることが望ましい。【００１４】以上のいずれの場合も、発光ダイオードの点灯は点滅タイプのものが好ましい。その点滅サイクルは約１回／秒で点灯率約５０％程度を標準とする。【００１５】これらの点灯条件等の設定は、予めキャップ体５の下部に設けた電子基板１３にプログラムしておくことにより容易に実現できる。
【発明の効果】
【００１６】本発明によれば、従来より実現が困難であったのぼりにおける夜間視認性を現実に著しく高めることができる。すなわち既成ののぼりの基本的形態を変えることなく、また外部電源などの二次負担を伴うことなく、甚だ耐久性があり発光効率の良い発光ダイオードを独立電源である電池とともに簡便にのぼりに取付けることを可能にするから、これによってのぼりの夜間視認性及び全般的なアピール性を飛躍的に向上させることができるという効果がある。
【発明を実施するための最良の形態】
【００１７】既に述べたように、既成ののぼりの支持ポールの上方中空部に収まりかつ単４電池を縦に４個直列収納できる寸法の底付き電池収納筒の上に、発光ダイオードを収容する透光性のキャップ体を準密閉状に載置一体化させた形態とし、電池収納筒の側壁に導線（ハーネス）である鋼線の直径に略等しい幅の縦スリットを形成することにより、その鋼線を縦スリット内に収めて側壁の一部とする。【００１８】図面では底付き電池収納筒７の底部を別部品のゴムキャップ状物としたが、より好ましくは、そこを一体化して筒の上端部とキャップ体の下端部をねじ込み式に着脱自在に取付け、電池の出し入れをやり易いようにする。【００１９】また暗所アピール性を一層高めるために旗支持竿３に取付ける発光ダイオードの数は４個程度が適当である。その導線は予め旗支持竿３内に埋め込まれ、旗支持竿３を差し込むための竿差し込み孔１１はキャップ体５の下側部に形成されていて、その上部で該導線が露出して電源に接続する。【００２０】発光ダイオードは基本的に自動点滅式とし、これの手動スイッチ１２を図面のような位置に設け、間に電子基板１３が設けられる。キャップ体５の内壁には反射シート１４を貼り、その下部にはＯリング状パッキン１５が取付けられる。またキャップ体５の底部から底付き電池収納筒７の上部にかけて、中空支持ポール２に差し込み易いように、パイプガイド１６を設けるものとする。【００２１】また別の最良の形態として、太陽電池を用いた例について述べる。すなわち、直径及び形状がキャップ体５と略等しい太陽電池１７を図５のようにキャップ体５の頂上部に設けるものとし、該キャップ体５の下方に単３の充電用蓄電池２個を収納できる肉厚約０．３ｍｍの金属製の底付き電池収納筒７を突出形成する。この充電用蓄電池を電池８として直列に２個用いても数ボルトの電圧が得られるから充分な輝度を発光ダイオード６に与えることができ、またこれに電気を供給する太陽電池の面積も、キャップ体５の天井部である直径３ｃｍ程度の円面積で充分であることが判明している。【００２２】他は前記の乾電池を用いた場合と概略同様であるものの手動スイッチ１２は不要となる。またパイプガイド１６もより薄い金属製となるが、これはより太い単３型を用いることから、出来るだけ外径寸法を抑えるためである。
【産業上の利用可能性】
【００２３】本発明の点灯具は既成ののぼりの基本的形態を全く変える必要がなく、製造も既成の技術で量産が可能である。その製品の扱いは甚だ簡便で耐久性に富み、標準的な試作品によれば、短４電池直列４個の場合で昼夜２週間、夜のみであれば２５日間の連続使用ができてその電池取り替えも甚だ楽であり、さらに太陽電池と蓄電池の組合せにすれば取り替え不要で一層扱い易く、夜間アピール性を高める市場ニーズも大きいから、産業上の利用可能性は十分であるといえる。
【図面の簡単な説明】
【００２４】
【図１】本発明一例の外観側面図
【図２】本発明一例の内部を示す側（断）面図
【図３】本発明別例の部分外観側面図
【図４】本発明更に別例の内部を示す側（断）面図
【図５】本発明の対象になるのぼりの外観側面図
【符号の説明】
【００２５】Ａ……のぼり
Ｂ……のぼり用点灯具
１……土台
２……中空支持ポール
３……旗支持竿
４……のぼり旗
５……キャップ体
６……発光ダイオード
７……底付き電池収納筒
８……電池
９……導線
１０……スリット
１１……竿差し込み孔
１２……手動スイッチ
１３……電子基板
１４……反射シート
１５……Ｏリング状パッキン
１６……パイプガイド
１７……太陽電池
【図１】
2006184836.tif 000003
【図２】
2006184836.tif 000004
【図３】
2006184836.tif 000005
【図４】
2006184836.tif 000006
【図５】
2006184836.tif 000007